【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
記録媒体に画像を記録するように該記録媒体にインクを吐出するための複数の記録素子が配列された素子列を含む記録ヘッドと、
前記複数の記録素子を分割して得られる複数のグループであって各グループが連続して並んだ所定数の記録素子を含む複数のグループの個々において、該所定数の記録素子が、設定された駆動順序で駆動されるように、前記複数の記録素子の駆動を制御する駆動制御手段と、
前記複数の記録素子の配列方向と交差する交差方向に前記記録ヘッドを走査させる走査手段と、
前記走査手段による前記記録ヘッドの前記交差方向への走査と、記録媒体の前記配列方向への搬送とが交互に為されることによる複数回の走査によって所定の記録領域に画像が記録されるように、該記録媒体を前記配列方向に搬送する搬送手段であって、
該記録媒体の第１領域に記録するように、前記グループの幅に対応する距離の整数倍の搬送量だけ該記録媒体を搬送する第１搬送動作と、
該記録媒体の第２領域に記録するように、前記グループの幅に対応する距離の整数倍ではない搬送量だけ該記録媒体を搬送する第２の搬送動作と、
を行う搬送手段と、
前記所定の記録領域について第１走査が為された後に、第２走査で使用される記録素子の該記録素子が属するグループにおける位置が、前記第１走査で使用された記録素子の該記録素子が属するグループにおけるグループにおける位置に一致するか否かを示す情報を取得する取得手段と、を具備し、
前記駆動制御手段は、前記取得手段により取得された前記情報に基づいて、前記複数のグループの個々における所定数の記録素子の前記第２走査についての前記記録順序を制御する
ことを特徴とする記録装置。
【請求項２】
前記駆動制御手段は、前記複数のグループの個々における所定数の記録素子の前記駆動順序を、同一の記録領域における各走査での前記駆動順序が互いに一致するように、前記取得手段により取得された前記情報に基づいて制御する
ことを特徴とする請求項１に記載の記録装置。
【請求項３】
前記駆動制御手段は、前記駆動順序を規定する駆動順番パターンを前記配列方向にシフトさせて変更することによって各走査での前記駆動順序を制御する
ことを特徴とする請求項１に記載の記録装置。
【請求項４】
１ページ分の記録媒体についての前記搬送手段による累積搬送量を算出する算出手段をさらに備えており、
前記駆動制御手段は、前記算出手段により算出された前記累積搬送量に基づいて前記駆動順序を制御する
ことを特徴とする請求項１に記載の記録装置。
【請求項５】
前記取得手段は、前記算出手段により算出された前記累積搬送量を前記グループの幅に対応する距離で除算して得られた結果を取得する
ことを特徴とする請求項４に記載の記録装置。
【請求項６】
前記搬送手段は、前記記録ヘッドの搬送方向における上流側に配された第１搬送部と、前記記録ヘッドの搬送方向における下流側に配された第２搬送部とを含む
ことを特徴とする請求項１に記載の記録装置。
【請求項７】
前記搬送手段は、前記第１搬送部および前記第２搬送部の双方が用いられる場合の記録媒体の搬送量が、前記第１搬送部および前記第２搬送部の一方が用いられる場合の記録媒体の搬送量と異なるように、記録媒体を搬送する
ことを特徴とする請求項６に記載の記録装置。
【請求項８】
前記記録素子は、インクを吐出させるための熱エネルギーを発生する電気熱変換素子を含む
ことを特徴とする請求項１に記載の記録装置。
【請求項９】
前記駆動制御手段は、前記駆動順序を規定する駆動順番パターンを前記配列方向にシフトさせて変更することによって各走査での前記駆動順序を制御し、
該シフト量は、前記取得手段により取得された前記結果にしたがう
ことを特徴とする請求項５に記載の記録装置。
【請求項１０】
前記駆動制御手段は、
前記第２走査で使用される記録素子の該記録素子が属するグループにおける位置が、前記第１走査で使用された記録素子の該記録素子が属するグループにおけるグループにおける位置に一致する場合には、オリジナルの駆動順番パターンに基づいて前記駆動順序を制御し、
前記第２走査で使用される記録素子の該記録素子が属するグループにおける位置が、前記第１走査で使用された記録素子の該記録素子が属するグループにおけるグループにおける位置に一致しない場合には、前記オリジナルの駆動順番パターンを前記配列方向にシフトさせて得られたパターンに基づいて前記駆動順序を制御する
ことを特徴とする請求項３に記載の記録装置。
【請求項１１】
駆動制御手段は、あるグループにおける所定数の記録素子の位置が他のグループにおける所定数の記録素子の位置と一致する場合には該あるグループにおける所定数の記録素子の駆動順序が該他のグループにおける所定数の記録素子の駆動順序と一致するように、前記複数の記録素子の駆動を制御する
ことを特徴とする請求項１に記載の記録装置。
【請求項１２】
記録媒体に画像を記録するように該記録媒体にインクを吐出するための複数の記録素子が配列された素子列を含む記録ヘッドと、
前記複数の記録素子の配列方向と交差する交差方向に前記記録ヘッドを走査させる走査手段と、
前記走査手段による前記記録ヘッドの前記交差方向への走査と、記録媒体の前記配列方向への搬送とが交互に為されることによる複数回の走査によって所定の記録領域に画像が記録されるように、該記録媒体を前記配列方向に搬送する搬送手段と、
前記複数の記録素子を分割して得られる複数のグループであって各グループが連続して並んだ所定数の記録素子を含む複数のグループの個々において、該所定数の記録素子が、設定された駆動順序で駆動されるように、前記複数の記録素子の駆動を制御する駆動制御手段と、
前記搬送手段による記録媒体の搬送量は、前記グループの幅に対応する距離よりも小さく、前記駆動制御手段は、前記複数のグループの個々における所定数の記録素子の前記駆動順序を該搬送量に基づいて制御する
ことを特徴とする記録装置。
【請求項１３】
前記駆動制御手段は、前記複数のグループの個々における所定数の記録素子の前記駆動順序を、同一の記録領域における各走査での前記駆動順序が互いに一致するように、前記搬送手段による記録媒体の搬送量に基づいて制御する
ことを特徴とする請求項１２に記載の記録装置。
【請求項１４】
前記駆動制御手段は、前記駆動順序を規定する駆動順番パターンを前記配列方向にシフトさせて変更することによって各走査での前記駆動順序を制御する
ことを特徴とする請求項１２に記載の記録装置。
【請求項１５】
１ページ分の記録媒体についての前記搬送手段による累積搬送量を算出する算出手段をさらに備えており、
前記駆動制御手段は、前記算出手段により算出された前記累積搬送量に基づいて前記駆動順序を制御する
ことを特徴とする請求項１２に記載の記録装置。
【請求項１６】
前記駆動制御手段は、前記算出手段により算出された前記累積搬送量を前記グループの幅に対応する距離で除算して得られた結果に基づいて前記駆動順序を制御する
ことを特徴とする請求項１５に記載の記録装置。
【請求項１７】
前記搬送手段は、前記記録ヘッドの搬送方向における上流側に配された第１搬送部と、前記記録ヘッドの搬送方向における下流側に配された第２搬送部とを含む
ことを特徴とする請求項１２に記載の記録装置。
【請求項１８】
前記搬送手段は、前記第１搬送部および前記第２搬送部の双方が用いられる場合の記録媒体の搬送量が、前記第１搬送部および前記第２搬送部の一方が用いられる場合の記録媒体の搬送量と異なるように、記録媒体を搬送する
ことを特徴とする請求項１７に記載の記録装置。
【請求項１９】
前記記録素子は、インクを吐出させるための熱エネルギーを発生する電気熱変換素子を含む
ことを特徴とする請求項１２に記載の記録装置。
【請求項２０】
駆動制御手段は、あるグループにおける所定数の記録素子の位置が他のグループにおける所定数の記録素子の位置と一致する場合には該あるグループにおける所定数の記録素子の駆動順序が該他のグループにおける所定数の記録素子の駆動順序と一致するように、前記複数の記録素子の駆動を制御する
ことを特徴とする請求項１２に記載の記録装置。
【請求項２１】
記録媒体に画像を記録するように該記録媒体にインクを吐出するための複数の記録素子が配列された素子列を含む記録ヘッドと、
前記複数の記録素子を分割して得られる複数のグループであって各グループが連続して並んだ所定数の記録素子を含む複数のグループの個々において、該所定数の記録素子が、設定された駆動順序で駆動されるように、前記複数の記録素子の駆動を制御する駆動制御手段と、
前記複数の記録素子の配列方向と交差する交差方向に前記記録ヘッドを走査させる走査手段と、
前記走査手段による前記記録ヘッドの前記交差方向への走査と、記録媒体の前記配列方向への搬送とが交互に為されることによる複数回の走査によって所定の記録領域に画像が記録されるように、該記録媒体を前記配列方向に搬送する搬送手段であって、
該記録媒体の第１領域に記録するために、前記グループの幅に対応する距離の整数倍の搬送量だけ該記録媒体を搬送する第１搬送動作と、
該記録媒体の第２領域に記録するために、前記グループの幅に対応する距離の整数倍ではない搬送量だけ該記録媒体を搬送する第２の搬送動作と、
を行う搬送手段と、
前記搬送手段による記録媒体の搬送量を示す情報を取得する取得手段と、を具備し、
前記駆動制御手段は、前記取得手段により取得された前記情報に基づいて、前記複数のグループの個々における所定数の記録素子の前記第２走査についての前記記録順序を制御する
ことを特徴とする記録装置。
【請求項２２】
前記取得手段により取得された前記情報が示す記録媒体の搬送量は、１ページ分の記録媒体についての累積搬送量である
ことを特徴とする請求項２１に記載の記録装置。
【請求項２３】
前記駆動制御手段は、前記複数のグループの個々における所定数の記録素子の前記駆動順序を、同一の記録領域における各走査での前記駆動順序が互いに一致するように、前記取得手段により取得された前記情報に基づいて制御する
ことを特徴とする請求項２１に記載の記録装置。
【手続補正２】
【補正対象書類名】明細書
【補正対象項目名】００１９
【補正方法】変更
【補正の内容】
【００１９】
上記課題を解決するため、本発明の一態様は、記録媒体に画像を記録するように該記録媒体にインクを吐出させるための複数の記録素子が配列された素子列を含む記録ヘッドと、前記複数の記録素子を分割して得られる複数のグループであって各グループが連続して並んだ所定数の記録素子を含む複数のグループの個々において、該所定数の記録素子が、設定された駆動順序で駆動されるように、前記複数の記録素子の駆動を制御する駆動制御手段と、前記複数の記録素子の配列方向と交差する交差方向に前記記録ヘッドを走査させる走査手段と、前記走査手段による前記記録ヘッドの前記交差方向への走査と、記録媒体の前記配列方向への搬送とが交互に為されることによる複数回の走査によって所定の記録領域に画像が記録されるように、該記録媒体を前記配列方向に搬送する搬送手段であって、該記録媒体の第１領域に記録するように、前記グループの幅に対応する距離の整数倍の搬送量だけ該記録媒体を搬送する第１搬送動作と、該記録媒体の第２領域に記録するように、前記グループの幅に対応する距離の整数倍ではない搬送量だけ該記録媒体を搬送する第２の搬送動作とを行う搬送手段と、前記所定の記録領域について第１走査が為された後に、第２走査で使用される記録素子の該記録素子が属するグループにおける位置が、前記第１走査で使用された記録素子の該記録素子が属するグループにおけるグループにおける位置に一致するか否かを示す情報を取得する取得手段とを具備し、前記駆動制御手段は、前記取得手段により取得された前記情報に基づいて、前記複数のグループの個々における所定数の記録素子の前記第２走査についての前記記録順序を制御することを特徴とする。
【手続補正３】
【補正対象書類名】明細書
【補正対象項目名】発明の名称
【補正方法】変更
【補正の内容】
【発明の名称】記録装置